(57)【要約】【課題】簡単な構成で、フレッチングを防止できる玉軸受用保持器を提供する。【解決手段】保持器５は、環状第１板部材１０と、環状第２板部材１１と、第１、第２リベット５１，５２とを備える。第１リベット５１の重量は、第２リベット５２の重量と異なる。これにより、保持器５の周方向の局所的な重量バランスが崩れる。したがって、この保持器５を玉軸受に用い、この玉軸受をこの軸が水平方向となるように配置して使用したとき、内輪と外輪の相対的な回転運動が、微小な回転運動または停止状態であっても、保持器５は、重力の作用により、内輪と外輪に対して、周方向に移動する。【選択図】図２
2015048897.tif 000002
【特許請求の範囲】
【請求項１】
ポケットを形成するための玉案内部と、径方向から見たとき略直線状の接合部とを、周方向に交互に複数回繰り返えす略波型の環状第１板部材と、
ポケットを形成するための玉案内部と、径方向から見たとき略直線状の接合部とを、周方向に交互に複数回繰り返えす略波型の環状第２板部材と、
上記環状第１板部材の上記接合部と上記環状第２板部材の上記接合部とを貫通して締結する複数の締結部材と
を備え、
少なくとも一つの上記締結部材の重量は、その他の上記締結部材の重量と異なることを特徴とする玉軸受用保持器。
【請求項２】
請求項１に記載の玉軸受用保持器において、
上記少なくとも一つの締結部材の大きさは、上記その他の締結部材の大きさと異なることを特徴とする玉軸受用保持器。
【請求項３】
請求項１または２に記載の玉軸受用保持器において、
上記少なくとも一つの締結部材の材質は、上記その他の締結部材の材質と異なることを特徴とする玉軸受用保持器。
【発明の詳細な説明】
【技術分野】
【０００１】
この発明は、玉軸受用保持器に関する。
【背景技術】
【０００２】
従来、玉軸受用保持器としては、特開平７−３１０７４０号公報（特許文献１）に記載されたものがある。この保持器は、周方向にわたって複数の素子に分割され、この複数の素子は、内輪と外輪との間で、隣り合う素子の間に隙間を有するように、配置されている。
【０００３】
これにより、上記内輪および上記外輪の相対的な回転運動が、微小な往復回転運動となっても、上記複数の素子は、上記隙間を移動し、この素子に保持された玉も、周方向に変位自在となる。こうすることで、フレッチングを防止していた。
【先行技術文献】
【特許文献】
【０００４】
【特許文献１】特開平７−３１０７４０号公報
【発明の概要】
【発明が解決しようとする課題】
【０００５】
しかしながら、上記従来の玉軸受用保持器では、上記複数の素子は、隙間を移動するため、この隙間がなくなれば、複数の素子は、移動することができず、フレッチングの防止には、不十分であった。また、外輪と内輪との間に配置する際、複数の素子を、隙間をあけて、配置する必要があり、手間であった。
【０００６】
そこで、この発明の課題は、簡単な構成で、フレッチングを防止できる玉軸受用保持器を提供することにある。
【課題を解決するための手段】
【０００７】
上記課題を解決するため、この発明の玉軸受用保持器は、
ポケットを形成するための玉案内部と、径方向から見たとき略直線状の接合部とを、周方向に交互に複数回繰り返えす略波型の環状第１板部材と、
ポケットを形成するための玉案内部と、径方向から見たとき略直線状の接合部とを、周方向に交互に複数回繰り返えす略波型の環状第２板部材と、
上記環状第１板部材の上記接合部と上記環状第２板部材の上記接合部とを貫通して締結する複数の締結部材と
を備え、
少なくとも一つの上記締結部材の重量は、その他の上記締結部材の重量と異なることを特徴としている。
【０００８】
この発明の玉軸受用保持器によれば、少なくとも一つの上記締結部材の重量は、その他の上記締結部材の重量と異なるので、保持器の周方向の局所的な重量バランスが崩れる。これにより、この保持器を玉軸受に用い、軸が水平方向となるように配置してこの玉軸受を使用したとき、玉軸受の内輪および外輪の相対的な回転運動が、微小な回転運動または停止状態となっても、保持器は、内輪および外輪に対して、周方向に移動する。このため、保持器のポケットに収容される玉も、内輪および外輪に対して、周方向に移動する。したがって、簡単な構成で、フレッチングを防止できる。
【０００９】
また、一実施形態の玉軸受用保持器では、上記少なくとも一つの締結部材の大きさは、上記その他の締結部材の大きさと異なる。
【００１０】
ここで、締結部材の大きさとは、締結部材の長さや、締結部材の径をいう。
【００１１】
この実施形態の玉軸受用保持器によれば、上記少なくとも一つの締結部材の大きさは、上記その他の締結部材の大きさと異なるので、締結部材の重量を簡単に異ならせることができる。
【００１２】
また、一実施形態の玉軸受用保持器では、上記少なくとも一つの締結部材の材質は、上記その他の締結部材の材質と異なる。
【００１３】
この実施形態の玉軸受用保持器によれば、上記少なくとも一つの締結部材の材質は、上記その他の締結部材の材質と異なるので、締結部材の重量を簡単に異ならせることができる。
【発明の効果】
【００１４】
この発明の玉軸受用保持器によれば、少なくとも一つの上記締結部材の重量は、その他の上記締結部材の重量と異なるので、簡単な構成で、フレッチングを防止できる。
【図面の簡単な説明】
【００１５】
【図１】本発明の第１実施形態の玉軸受用保持器を備えた玉軸受の軸方向の部分断面図である。
【図２】上記保持器の軸方向の断面図である。
【図３】上記保持器の環状第１板部材を軸方向からみた図である。
【図４】上記保持器を含む玉軸受を用いたＶＴＣの軸方向の断面図である。
【図５】本発明の第２実施形態の玉軸受用保持器の軸方向からみた図である。
【発明を実施するための形態】
【００１６】
以下、この発明を図示の実施の形態により詳細に説明する。
【００１７】
（第１の実施形態）
図１は、本発明の一実施形態の玉軸受用保持器を備えた玉軸受の軸方向の部分断面図である。図１に示すように、この玉軸受１００は、外輪１と、内輪２と、複数の玉３と、本発明の一実施形態の保持器５とを備える。この玉軸受１００は、深溝玉軸受である。
【００１８】
上記外輪１は、その外輪１の内周面に、軌道溝を有している。上記内輪２は、外輪１の軌道溝に径方向に対向する位置に軌道溝を有している。また、上記複数の玉３は、外輪１の軌道溝と、内輪２の軌道溝との間に、保持器５によって保持された状態で、周方向に互いに間隔をおいて配置されている。
【００１９】
図２は、上記保持器５の軸方向の断面図である。図２に示すように、上記保持器５は、環状第１板部材１０と、環状第２板部材１１と、締結部材の一例としての金属製のリベット５１，５２とを備える。
【００２０】
上記環状第１板部材１０は、ＳＰＣＣ（冷間圧延鋼）等の金属製の環状の板材である。環状第１板部材１０は、略波型の形状を有している。環状第１板部材１０は、複数の湾曲部２０と複数の接合部２１とからなる。湾曲部２０と接合部２１とは、周方向に交互に配置されている。
【００２１】
上記湾曲部２０は、ポケット３５を形成するための玉案内部であり、略円弧状に湾曲している。湾曲部２０は、玉３を収容するポケット３５の中心に対して軸方向の一方の側に位置している。湾曲部２０の環状第２板部材１１側の表面は、ポケット３５におけるポケット３５の中心に対して軸方向の一方の側に位置する部分になっている。湾曲部２０は、軸方向において玉３の半分の部分に相当する半球を案内している。
【００２２】
上記接合部２１は、湾曲部２０の周方向の端につながっている。接合部２１は、径方向の外方から見たとき、略直線状の形状を有している。接合部２１は、略軸方向に貫通する貫通穴を有している。
【００２３】
上記環状第２板部材１１は、ＳＰＣＣ等の金属製の環状の板材である。環状第２板部材１１は、略波型の形状を有している。環状第２板部材１１は、複数の湾曲部３０と複数の接合部３１とからなる。湾曲部３０と接合部３１とは、周方向に交互に配置されている。
【００２４】
上記湾曲部３０は、ポケット３５を形成するための玉案内部であり、略円弧状に湾曲している。湾曲部３０は、ポケット３５の中心に対して軸方向の他方の側に位置している。湾曲部３０の環状第１板部材１０側の表面は、ポケット３５におけるポケット３５の中心に対して軸方向の他方の側に位置する部分になっている。湾曲部３０は、軸方向において玉３の半分の部分に相当する半球を案内している。
【００２５】
上記接合部３１は、湾曲部３０の周方向の端につながっている。接合部３１は、径方向の外方から見たとき、略直線状の形状を有している。接合部３１は、略軸方向に貫通する貫通穴を有している。
【００２６】
上記環状第２板部材１１の湾曲部３０は、環状第１板部材１０の湾曲部２０と軸方向に対向している一方、環状第２板部材１１の接合部３１は、環状第１板部材１０の接合部２１と軸方向に対向している。環状第１板部材３０および環状第２板部材３１は、プレス成型によって形成されている。
【００２７】
上記ポケット３５は、環状第１板部材１０の湾曲部２０における環状第２板部材１１側の表面と、環状第２板部材１１の湾曲部３０における環状第１板部材１０側の表面とで構成されている。
【００２８】
上記リベット５１，５２は、上記環状第１板部材１０の接合部２１の貫通穴と上記環状第２板部材１１の接合部３１の貫通穴とを、貫通して、環状第１板部材１０の接合部２１と環状第２板部材１１の接合部３１とを締結する。
【００２９】
図３は、上記保持器５の環状第１板部材１０を軸方向からみた図である。図３に示すように、複数の上記リベット５１，５２は、第１リベット５１と第２リベット５２とからなる。第１リベット５１は、３個あり、第２リベット５２は、６個ある。
【００３０】
上記第１リベット５１の重量は、上記第２リベット５２の重量よりも大きい。つまり、第１リベット５１の大きさは、第２リベット５２の大きさよりも大きい。具体的に述べると、第１リベット５１における接合部２１，３１の貫通穴に挿入される軸部分の径は、第２リベット５２における接合部２１，３１の貫通穴に挿入される軸部分の径よりも大きい。このように、第１、第２リベット５１，５２の径を異ならせることで、第１、第２リベット５１，５２の重量を簡単に異ならせることができる。
【００３１】
全ての上記第１、上記第２リベット５１，５２において、隣り合うリベット５１，５２の周方向の間隔は、等しく、中心角度が、４０°となる。全ての第１リベット５１において、隣り合う第１リベット５１の周方向の間隔は、等しく、中心角度が、１２０°となる。
【００３２】
上記実施形態の玉軸受用保持器によれば、上記第１リベット５１の重量は、上記第２リベット５２の重量と異なるので、保持器５の周方向の局所的な重量バランスが崩れる。これにより、この保持器５を玉軸受１００に用い、この玉軸受１００を水平に配置された回転軸に使用したとき、内輪２および外輪１の相対的な回転運動が、微小な回転運動または停止状態となっても、保持器５は、重力の作用により、内輪２および外輪１に対して、周方向に移動する。このため、保持器５のポケット３５に収容される玉３も、内輪２および外輪１に対して、周方向に移動する。したがって、簡単な構成で、フレッチングを防止できる。
【００３３】
これに対して、従来の保持器では、複数の素子の間に設けた隙間において、素子を移動させて、フレッチングを防止していたため、素子の移動により隙間がなくなれば、フレッチングを防止することができなくなる。一方、本発明の保持器５では、リベット５１，５２の重量を異ならせることで、フレッチングを防止している。これにより、本発明の保持器５では、重量バランスが不均一であるため、限度なくフレッチングを防止できる。また、従来の保持器では、複数の素子を、隙間をあけて、配置する必要があり、手間であった。一方、本発明の保持器５では、外輪１と内輪２との間に配置する際、保持器５の位置を特に考慮する必要はなく、手間がかからない。
【００３４】
上記実施形態の玉軸受用保持器によれば、全ての第１リベット５１において、隣り合う第１リベット５１の周方向の間隔を、等しくしている。これにより、保持器５の周方向の全体的なバランスがとれ、内輪２および外輪１の相対的な回転運動が、正常な回転運動となる場合、保持器５は、バランスのよい安定した回転運動を行うことができる。
【００３５】
本発明の上記保持器５を有する玉軸受１００は、例えば、内燃機関のバルブタイミング制御装置（以下、ＶＴＣという。）で使用される。このＶＴＣの一例としては、例えば、特開２００３−５６３１９号公報に開示されたものがある。
【００３６】
図４に示すように、上記ＶＴＣは、クランクシャフトによって回転駆動する駆動プレート１０３と、カムシャフト１０１に結合されたレバー軸１１０とを有する。上記駆動プレート１０３と上記レバー軸１１０は、組付角操作機構１０５によって、連結される。上記組付角操作機構１０５は、操作力付与手段１０４によって、駆動操作される。上記操作力付与手段１０４は、電磁コイル１３３Ａ，１３３Ｂを有し、この電磁コイル１３３Ａ，１３３Ｂを励磁することによって、駆動操作力を発生する。
【００３７】
上記電磁コイル１３３Ａ，１３３Ｂは、ＶＴＣハウジング１１２に対し、係止ピン１４６を介して回動を規制される。電磁コイル１３３Ａ，１３３Ｂは、レバー軸１１０に対し、玉軸受１００を介して回動自在となる。つまり、玉軸受１００の外輪１が、電磁コイル１３３Ａ，１３３Ｂを保持する保持ケース１４２に固定され、玉軸受１００の内輪２が、レバー軸１１０に固定される。
【００３８】
そして、上記レバー軸１１０（および内輪２）の回転運動が、上記保持ケース１４２（および外輪１）に対して、微小な回転運動または停止状態となっても、保持器５（および玉３）は、重力の作用により、内輪２および外輪１に対して、周方向に移動する。したがって、フレッチングを防止できる。
【００３９】
（第２の実施形態）
図５は、この発明の第２実施形態の玉軸受用保持器の軸方向からみた図である。この第２の実施形態は、上記第１の実施形態とは、リベットの構成のみが相違する。この相違する構成のみを以下に説明する。なお、この第２の実施形態において、上記第１の実施形態と同一の符号は、上記第１の実施形態と同じ構成であるため、その説明を省略する。
【００４０】
図５に示すように、第１リベット５１Ａの材質は、第２リベット５２Ａの材質と異なる。具体的に述べると、第１リベット５１Ａの材質は、鉛であり、第２リベット５２Ａの材質は、アルミである。第１リベット５１Ａの大きさと第２リベット５２Ａの大きさとは、同じである。これにより、第１リベット５１Ａの重量は、第２リベット５２Ａの重量よりも大きくなる。
【００４１】
上記第１リベット５１Ａは、３個あり、上記第２リベット５２Ａは、６個ある。全ての第１、第２リベット５１Ａ，５２Ａにおいて、隣り合うリベット５１Ａ，５２Ａの周方向の間隔は、等しい。また、全ての第１リベット５１Ａにおいて、隣り合う第１リベット５１Ａの周方向の間隔は、等しい。
【００４２】
したがって、上記第１リベット５１Ａの材質は、上記第２リベット５２Ａの材質と異なるので、第１、第２リベット５１Ａ，５２Ａの重量を簡単に異ならせることができる。
【００４３】
なお、この発明は上述の実施形態に限定されず、本発明の要旨を逸脱しない範囲で設計変更可能である。例えば、上記第１、上記第２の実施形態のそれぞれの特徴点を様々に組み合わせてもよい。
【００４４】
上記第１、上記第２実施形態では、上記保持器を、深溝玉軸受に用いたが、アンギュラ玉軸受や、４点接触または６点接触の玉軸受など、他の玉軸受に用いてもよい。
【００４５】
上記第１、第２実施形態では、３個の第１リベットの重量を、その他の６個の第２リベットの重量と異ならせたが、少なくとも一つのリベットの重量を、その他のリベットの重量と異ならせるようにしてもよい。
【００４６】
上記第１、第２実施形態では、締結部材として、リベットを用いたが、ネジを用いてもよい。
【００４７】
上記第１、上記第２実施形態では、全ての第１リベットにおいて、隣り合う第１リベットの周方向の間隔を、等しくしたが、隣り合う第１リベットの周方向の間隔を、不等としてもよい。これにより、保持器の周方向の局所的な重量バランスが崩れ易くなる。
【００４８】
上記第１、上記第２実施形態では、全てのリベットにおいて、隣り合うリベットの周方向の間隔を、等しくしたが、隣り合うリベットの周方向の間隔を、不等としてもよい。これにより、保持器の周方向の局所的な重量バランスが崩れ易くなる。
【００４９】
上記第１、上記第２実施形態では、環状第１板部材および環状第２板部材の夫々において、玉案内部は、略円弧状（半円状）に湾曲していたが、この発明では、環状第１板部材および環状第２板部材の夫々において、玉案内部は、多角形の一部からなる形状や、楕円の一部からなる形状等、ポケットを構成できる形状であれば如何なる形状となっても良い。
【００５０】
上記第１、上記第２実施形態では、リベットの数量は、９個であったが、ポケット（玉案内部）の数量を増減し、接合部の数量を増減して、リベットの数量を増減するようにしてもよい。
【００５１】
上記第１実施形態では、第１、第２リベットの径を異ならせて、第１、第２リベットの大きさを異ならせたが、第１、第２リベットの長さを異ならせて、第１、第２リベットの大きさを異ならせるようにしてもよい。
【００５２】
上記第２実施形態では、第１リベットの材質を鉛とし、第２リベットの材質をアルミとしたが、重量の異なる材質であれば、どのような材質を用いてもよい。
【００５３】
上記実施形態では、玉軸受は、水平方向に配置された回転軸において使用したが、鉛直方向に対して傾けて配置された回転軸において使用してもよい。
【符号の説明】
【００５４】
１  外輪
２  内輪
３  玉
５  保持器
１０  環状第１板部材
１１  環状第２板部材
２０,３０  湾曲部（玉案内部）
２１,３１  接合部
３５  ポケット
５１，５１Ａ  第１リベット（締結部材）
５２，５２Ａ  第２リベット（締結部材）
【図１】
2015048897.tif 000003
【図２】
2015048897.tif 000004
【図３】
2015048897.tif 000005
【図４】
2015048897.tif 000006
【図５】
2015048897.tif 000007